(57)【要約】【課題】  記録型光ディスクの記録データの有無に関わらず球面収差を補償して光ディスクに対して良好に情報の書き込み及び読み取りを行うことができる光ディスク、光ディスク装置、光ディスク記録再生方法を提供する。【解決手段】  上記球面収差を補正するべく、トラッキングエラー信号及びRF信号の信号振幅が最大となるように記録、未記録部分によって手順を追って光学素子の位置を移動調整することにより、光ディスクに対して良好な情報の書き込み及び読み取りを行う。【選択図】      図２
2006260701.tif 000002
【特許請求の範囲】
【請求項１】
光学的に情報の記録再生が可能な光ディスクであって、
前記光ディスクのカバー層の厚みムラによる球面収差を補正するための情報を記録可能な第一領域を有することを特徴とする光ディスク。
【請求項２】
光ディスク内に試し書き領域を有することを特徴とする請求項１記載の光ディスク。
【請求項３】
光源から出射されたレーザビームを対物レンズを介して光ディスクの記録面に形成されたトラックに対し集光して照射する往き光路と前記光ディスクの記録面で反射されたレーザビームを前記対物レンズを介して分割型光検出器に導く戻り光路とを形成した光学系を有し、前記分割型光検出器の出力からトラッキングエラー信号を演算する手段を備えた光ディスク装置であって、
少なくとも前記往き光路中に前記レーザビームの光軸方向に移動調整可能に配置された光学素子と、
前記光学素子の位置を前記光学系における球面収差を減少させるように移動調整する駆動手段とを有し、
前記駆動手段は、前記分割型光検出器の出力から演算されたトラッキングエラー信号の振幅が最大となるように前記光学素子の位置を移動調整することを特徴とする光ディスク装置。
【請求項４】
光源から出射されたレーザビームを対物レンズを介して光ディスクの記録面に集光して照射する往き光路と前記光ディスクの記録面で反射されたレーザビームを前記対物レンズを介して光検出器に導く戻り光路とを形成した光学式ピックアップ内に少なくとも前記往き光路中に前記レーザビームの光軸方向に移動調整可能に配置された光学素子を有する光ディスク装置であって、
テスト信号源と、
試し書き領域を有する前記光ディスクに前記テスト信号源から発生するテスト信号を前記試し書き領域に記録する手段とを有することを特徴とする光ディスク装置。
【請求項５】
前記試し書きによって前記光ディスクに形成されたマーク及びスペースを再生し、前記光検出器の出力信号の振幅またはレベルが最大となるように前記往き光路中の前記レーザビームの光軸方向に移動調整可能に配置された前記光学素子を移動調整する手段を有することを特徴とする請求項４記載の光ディスク装置。
【請求項６】
光ディスクのカバー層の厚みムラによる球面収差を補正するため光学素子の最適位置情報を請求項１記載の光ディスクの前記第一領域に記録可能な光ディスク装置であって、
前記最適位置情報を前記光ディスクに記録可能なデータフォーマットに変換するエンコード手段を有することを特徴とする光ディスク装置。
【請求項７】
請求項１記載の光ディスクの前記第一領域に記録された前記最適位置情報を再生し、前記最適位置情報を復号するためのデコード手段と、
前記デコード手段によって復号された前記最適位置情報に基づき前記光学素子の位置を移動調整する手段とを有することを特徴とする光ディスク装置。
【請求項８】
光源から出射されたレーザビームを対物レンズを介して試し書き領域を有する光ディスクの記録面に形成されたトラックに対し集光して照射する往き光路と前記光ディスクの記録面で反射されたレーザビームを前記対物レンズを介して分割型光検出器に導く戻り光路とを形成し少なくとも前記往き光路中に前記レーザビームの光軸方向に移動調整可能に配置された光学素子を有した光学系と、前記分割型光検出器の出力からトラッキングエラー信号を演算する手段と、前記光ディスクの前記試し書き領域に記録可能な手段とを有する光ディスク記録再生装置に用いられる光ディスク記録再生方法であって、
前記光ディスクの未記録部において、前記光学素子の位置を前記光学系における球面収差を減少させるための駆動手段は、前記分割型光検出器の出力から演算されたトラッキングエラー信号の振幅が最大となるように前記光学素子の位置を移動調整し、前記未記録部において前記光学素子の移動調整後、前記光ディスクの前記試し書き領域に試し書きを行い、前記試し書きによって前記光ディスクの前記試し書き領域内に形成されたマーク及びスペースを再生し、前記分割型光検出器の出力信号の振幅またはレベルが最大となるように前記光学素子を移動調整することよって球面収差を補償して前記光ディスクに対して情報の書き込み及び読み取りを行うことを特徴とする光ディスク記録再生方法。
【請求項９】
光ディスクのカバー層の厚みムラによる球面収差を補正するための情報を記録可能な第一領域を有する光ディスクに対して、前記カバー層の厚みムラによる球面収差を補正するため光学素子の最適位置情報を光ディスクに記録可能なデータフォーマットに変換し前記第一領域に記録可能な光ディスク装置を用いたにより前記光ディスクに前記光学素子の前記最適位置情報を記録した前記光ディスクを用いた光ディスク記録再生方法であって、
前記光ディスクの前記第一領域に記録された前記最適位置情報を再生し、前記最適位置情報を復号し前記最適位置情報に基づき前記光学素子の位置を移動調整することによって球面収差を補償して光ディスクに対して良好に情報の書き込み及び読み取りを行うことを特徴とする光ディスク記録再生方法。
【発明の詳細な説明】
【技術分野】
【０００１】
本発明は、高密度記録用光ディスクの記録再生時に発生する、ディスク表面に接着した透明フィルムの厚さムラにより発生する球面収差を補正して、常に最適な記録再生が可能な光ディスク、光ディスク装置、光ディスク記録再生方法に関するものである。
【背景技術】
【０００２】
光学式記録媒体としての光ディスクには、その記録面を保護すべく、所定の厚さの透過基板または透過シートが上記記録面を覆うように形成されている。光ディスク装置では、かかる光ディスクの透過基板または透過シートを介して上記記録面に読取レーザビーム、または記録レーザビームを照射することにより、この光ディスクに対して情報データの読取及び記録を行うようにしている。
【０００３】
光ディスクの高密度化を実現するためには、レーザ波長の短波長化やレーザ等の光源からの光束をより小さなスポットに集光するためレンズの開口数の大きくするなどが多くの方法が検討されている。その中で、開口数の大きなレンズを用いて高NA化することによって、従来よりも小さなスポット径に集光する方法がある。しかし、レンズの開口数が大きくなると、光ディスクのそりや傾きに対してコマ収差が発生しやすくなる。この場合には、光ディスクにおける読み取り面のカバー層の厚みが薄い方がコマ収差の発生を少なくできるという点で有利である。
【０００４】
しかしながら、光ディスクの読み取り面（記録面）を保護するカバー層は、CDでは１．２mmの透過基板、DVDでは０．６mmの透過基板からなるが、高密度化を実現するために読み取り面のカバー層をもっと薄くすると製造上において図１に示すように透過基板ではなく透過シートを基板に接着剤によって貼り合せる形をなければならず、透過シートの場合、透過シート＋接着剤の厚さを規定値に形成させることは困難であり、厚さ誤差（ムラ）が生じ易く、また、透過性樹脂をスピンコートなどで形成する場合においても同様に厚さ誤差が生じ易い。
【０００５】
そのため、透過シート＋接着剤の厚さの違いにより球面収差が生じて、情報記録精度及び情報読取精度を低下させてしまう。
このような球面収差を補正するため特開２００１−２３６６７４号公報に記載のように、光源から出射されたレーザビームを対物レンズを介して光ディスクの記録面に集光して照射する往き光路と前記光ディスクの記録面で反射されたレーザビームを前記対物レンズを介して光検出器に導く戻り光路とを形成した光学式ピックアップ内に少なくとも前記往き光路中に前記レーザビームの光軸方向に移動調整可能に配置された光学素子を有し、RF振幅レベルが最大となるように光学素子を調整するといった提案がなされていた。
【０００６】
しかしながら、記録型の光ディスクの未記録領域において光学素子を調整するには必ずしもRF信号は存在せず、光学素子の調整が行えず、この点において問題が生じる。
【特許文献１】特開２００１−２３６６７４号公報
【発明の開示】
【発明が解決しようとする課題】
【０００７】
本発明は、かかる問題を解決すべくなされたものであり、記録型光ディスクの記録データの有無に関わらず球面収差を補償して光ディスクに対して良好に情報の書き込み及び読み取りを行うことができる光ディスク、光ディスク装置、光ディスク記録再生方法を提供することを目的とする。
【課題を解決するための手段】
【０００８】
本発明は、上述した従来の技術の課題を解決するため、次の構成を有する光ディスク、光ディスク装置、光ディスク記録再生方法を提供する。
（１）光学的に情報の記録再生が可能な光ディスクであって、
前記光ディスクのカバー層の厚みムラによる球面収差を補正するための情報を記録可能な第一領域を有することを特徴とする光ディスク。
（２）前記光ディスク内に試し書き領域を有することを特徴とする請求項１記載の光ディスク。
（３）光源から出射されたレーザビームを対物レンズを介して光ディスクの記録面に形成されたトラックに対し集光して照射する往き光路と前記光ディスクの記録面で反射されたレーザビームを前記対物レンズを介して分割型光検出器に導く戻り光路とを形成した光学系を有し、前記分割型光検出器の出力からトラッキングエラー信号を演算する手段を備えた光ディスク装置であって、
少なくとも前記往き光路中に前記レーザビームの光軸方向に移動調整可能に配置された光学素子と、
前記光学素子の位置を前記光学系における球面収差を減少させるように移動調整する駆動手段とを有し、
前記駆動手段は、前記分割型光検出器の出力から演算されたトラッキングエラー信号の振幅が最大となるように前記光学素子の位置を移動調整することを特徴とする光ディスク装置。
（４）光源から出射されたレーザビームを対物レンズを介して光ディスクの記録面に集光して照射する往き光路と前記光ディスクの記録面で反射されたレーザビームを前記対物レンズを介して光検出器に導く戻り光路とを形成した光学式ピックアップ内に少なくとも前記往き光路中に前記レーザビームの光軸方向に移動調整可能に配置された光学素子を有する光ディスク装置であって、
テスト信号源と、
試し書き領域を有する前記光ディスクに前記テスト信号源から発生するテスト信号を前記試し書き領域に記録する手段とを有することを特徴とする光ディスク装置。
（５）前記試し書きによって前記光ディスクに形成されたマーク及びスペースを再生し、前記光検出器の出力信号の振幅またはレベルが最大となるように前記往き光路中の前記レーザビームの光軸方向に移動調整可能に配置された前記光学素子を移動調整する手段を有することを特徴とする請求項４記載の光ディスク装置。
（６）光ディスクのカバー層の厚みムラによる球面収差を補正するため光学素子の最適位置情報を請求項１記載の光ディスクの前記第一領域に記録可能な光ディスク装置であって、
前記最適位置情報を前記光ディスクに記録可能なデータフォーマットに変換するエンコード手段を有することを特徴とする光ディスク装置。
（７）請求項１記載の光ディスクの前記第一領域に記録された前記最適位置情報を再生し、前記最適位置情報を復号するためのデコード手段と、
前記デコード手段によって復号された前記最適位置情報に基づき前記光学素子の位置を移動調整する手段とを有することを特徴とする光ディスク装置。
（８）光源から出射されたレーザビームを対物レンズを介して試し書き領域を有する光ディスクの記録面に形成されたトラックに対し集光して照射する往き光路と前記光ディスクの記録面で反射されたレーザビームを前記対物レンズを介して分割型光検出器に導く戻り光路とを形成し少なくとも前記往き光路中に前記レーザビームの光軸方向に移動調整可能に配置された光学素子を有した光学系と、前記分割型光検出器の出力からトラッキングエラー信号を演算する手段と、前記光ディスクの前記試し書き領域に記録可能な手段とを有する光ディスク記録再生装置を用いた光ディスク記録再生方法であって、
前記光ディスクの未記録部において、前記光学素子の位置を前記光学系における球面収差を減少させるための駆動手段は、前記分割型光検出器の出力から演算されたトラッキングエラー信号の振幅が最大となるように前記光学素子の位置を移動調整し、前記未記録部において前記光学素子の移動調整後、前記光ディスクの前記試し書き領域に試し書きを行い、前記試し書きによって前記光ディスクの前記試し書き領域内に形成されたマーク及びスペースを再生し、前記分割型光検出器の出力信号の振幅またはレベルが最大となるように前記光学素子を移動調整することよって球面収差を補償して前記光ディスクに対して情報の書き込み及び読み取りを行うことを特徴とする光ディスク記録再生方法。
（９）光ディスクのカバー層の厚みムラによる球面収差を補正するための情報を記録可能な第一領域を有する光ディスクに対して、前記カバー層の厚みムラによる球面収差を補正するため光学素子の最適位置情報を光ディスクに記録可能なデータフォーマットに変換し前記第一領域に記録可能な光ディスク装置を用いたにより前記光ディスクに前記光学素子の前記最適位置情報を記録した前記光ディスクを用いた光ディスク記録再生方法であって、
前記光ディスクの前記第一領域に記録された前記最適位置情報を再生し、前記最適位置情報を復号し前記最適位置情報に基づき前記光学素子の位置を移動調整することによって球面収差を補償して光ディスクに対して良好に情報の書き込み及び読み取りを行うことを特徴とする光ディスク記録再生方法。
【発明の効果】
【０００９】
本発明の光ディスク、光ディスク装置、光ディスク記録再生方法によれば、記録型の光ディスクにおいて、記録データの有無に関わらず球面収差を補償して光ディスクに対して良好に情報の書き込み及び読み取りを行うことが出来る。
【発明を実施するための最良の形態】
【００１０】
本発明の光ディスク、光ディスク装置、光ディスク記録再生方法を実施するための最良の形態を、図１〜図６を用いて説明する。
図１は記録型の高密度光ディスクの構造図、図２は請求項３〜5に係る本発明の光ディスク装置の一実施例ブロック図、図３は請求項６，７に係る本発明の光ディスク装置の一実施例ブロック図、図４は請求項8に係る本発明の光ディスク記録再生方法のフローチャート、図5は請求項９に係る本発明の光ディスク記録再生方法のフローチャート、図６は請求項９に係る本発明の光ディスク記録再生方法のフローチャートである。
【００１１】
図２および図３のブロック図であるが、情報を繰り返し記録再生可能な相変化型の光ディスク１をスピンドルモータ（図示せず）で回転駆動して、前記光ディスク１の記録トラックを光ピックアップ１０から出射するレーザ光で走査することにより、所定のデータフォーマットのディジタルデータを光学的に記録再生を行う光ディスク装置に本発明の請求項３〜5を適用した場合の記録再生系の構成を示している。
【００１２】
この光ディスク記録装置の前記光ピックアップ１０において、レーザ光源である半導体レーザ１１からのレーザ光が、コリメートレンズ１２で平行光ビームとされ、ビームスプリッタ１３を介し、凹レンズ１４と凸１5レンズからなるビームエキスパンダ２０を介し、対物レンズ１６を介して、前記光ディスク１上の信号記録面に集光されるように照射される。前記光ディスク１の信号記録面に照射されて反射されたレーザ光の反射光ビーム（戻りレーザ光）は、ビームスプリッタ１３で反射され、シリンドリカルレンズ１７を介して受光素子であるフォトディテクタ１８に導かれるようになっている。ここで対物レンズ１６は、フォーカス用駆動コイル２５、トラッキング用駆動コイル２６を有して成るいわゆる２軸駆動装置により光軸方向及び光軸に直交する方向に移動制御されるようになっている。
【００１３】
ビームスプリッタ１３では、対物レンズ１６を介して光ディスク１に照射する以外にレーザパワー制御用にフォトディテクタ３０へ照射するため少量の光量を分配している。ここで分配された光量は凸レンズ１９を介して前記フォトディテクタ３０に照射される。フォトディテクタ３０の受光部で光を検出し、光検出信号はアンプ３１を介してサンプルホールド回路３２に送られ、マルチパルス発生回路３８からの信号（またはCPU３４からの信号）でサンプルホールドされ、A／D変換回路３３を介してCPU３４へ送られる。CPU３４では再生または記録時の目標設定レーザパワーと演算およびゲイン調整、位相補償を行い、この信号をD／A変換回路３5を介してレーザ駆動回路３６へ送りレーザAPC制御
を行っている。
【００１４】
フォトディテクタ１8は、例えば受光部が４分割された構造を有し、これらの各受光部からの光検出信号がアンプ２１を介してマトリクス回路２２に供給されることにより、これらの信号の和や差がとられて、いわゆるRF信号や、フォーカスエラー信号、トラッキングエラー信号等として取り出される。フォーカスエラー信号及びトラッキングエラー信号は、位相補償回路２３を介しサーボ駆動回路２４を介して、上記２軸駆動装置の各駆動コイル２5、２６にそれぞれ送られることにより、フォーカスサーボ及びトラッキングサーボが行われる。前記RF信号は各受光部からの出力信号の和信号であり、このRF信号は、後述するような振幅検出回路４０に送られている。
【００１５】
マトリクス回路２２から前述したフォーカスエラー信号（FE）とトラッキングエラー信号（TE）以外にRF信号が取り出され、振幅検出回路４０とA／D変換回路４１を介してCPU３４によって前記RF信号の最大値を検出する。また、トラッキングエラー信号（TE）は位相補償回路２３へ送る以外に振幅検出回路４２へ送られA／D変換回路４３を介してCPU３４へ送られる。
【００１６】
光ディスク１の未記録部においては、トラッキングエラー信号の最大振幅が得られるように凹レンズ１４をモータ４７によって移動調整する。CPU３４からD／A変換回路４６を介し、光学素子駆動回路４5へ駆動命令を送りモータ４７を使って凹レンズ１４を移動調整し、トラッキングエラー信号の最大振幅が得られるようにビームエキスパンダー２０の位置を求め、光学素子駆動回路４5へ送る駆動電圧Ｖｅｘｐ１が得られる。このときチルト、フォーカス、トラッキングなどは最適化されていることは言うまでもない。
【００１７】
試し書きを行うためのテスト信号３７（２値データのパルス信号）は試し書き命令がCPU３４から送られるとマルチパルス発生回路３8へ送られ、マルチパルス発生回路３8で複数のパルス列を生成しマルチパルス信号として、レーザ駆動回路３６に送られる。また、CPU３４からD／A変換回路３5を介してレーザパワー制御信号が送られる。これにより、前記レーザ駆動回路３６から前記半導体レーザ１１へ駆動信号が送られ複数のレベルのレーザパワー値によってパルス駆動可能となり、記録レーザ光が光ディスク１の試し書き領域の記録面に向かって照射されテスト信号が記録される。
【００１８】
試し書きによって得られた信号は、前述したように前記光ピックアップ１０内を通りフォトディテクタ１８へ送られ、アンプ２１を介してマトリクス回路２２へ送られる。マトリクス回路２２でRF信号が得られ、RF信号の最大振幅または最大レベルが得られるように凹レンズ１４をモータ４７によって移動調整する。CPU３４からD／A変換回路４６を介し、光学素子駆動回路４５へ駆動命令を送りモータ４７を使って凹レンズ１４を移動調整し、RF信号の最大振幅が得られるようにビームエキスパンダー２０の位置を求め、光学素子駆動回路４5へ送るビームエキスパンダ２０の最適位置を設定する駆動電圧Ｖｅｘｐ２が得られる。このときチルト、フォーカス、トラッキングなどは最適化されていることは言うまでもない。
【００１９】
こうして得られたビームエキスパンダ２０の前記最適位置情報をCPU３４からメモリ４４に記憶する。
メモリ４４に記憶されたビームエキスパンダ２０の前記最適位置情報はディスクに記録可能なデータフォーマットに変換するエンコード回路４８へ送られ、エンコードされたデータはCPU３４からの命令によりマルチパス発生回路３８へ送られ、マルチパス発生回路３８で複数のパルス列を生成しマルチパルス信号として、レーザ駆動回路３６へ送られる。また、CPU３４からD／A変換回路３５を介してレーザパワー制御信号が送られる。これにより、前記レーザ駆動回路３６からの前記半導体レーザ１１へ駆動信号が送られ複数のレーザパワー値によってパルス駆動が可能となり、記録レーザ光が光ディスク１の第一領域（カバー層の厚みムラによる球面収差を補正するための情報を記録可能な領域）の記録面に向かって照射され前記ビームエキスパンダ２０の最適位置情報が記録される。
【００２０】
前記ビームエキスパンダ２０の最適位置情報が記録された光ディスク１は、上述した再生の説明のようにRF信号としてドライブに読み込まれる。このRF信号はデータを２値化回路４９を介し、デコード回路５０へ送られ、CPU３４が処理可能なデータに変換される。
【００２１】
デコードされた前記ビームエキスパンダ２０の最適位置情報をCPU３４へ送ると、その最適位置情報に基づきD／A変換回路４６を介して光学素子駆動回路４5へ送られ、モータ４７によってビームエキスパンダ位置を最適位置に移動する。これにより、球面収差を補償して光ディスク１に対して良好に情報の書き込み及び読み取りを行うことが出来る。
【００２２】
本発明の光ディスク記録再生方法は、図４に示すフローチャートのように、光源から出射されたレーザビームを対物レンズを介して試し書き領域を有する光ディスクの記録面に形成されたトラックに対し集光して照射する往き光路と前記光ディスクの記録面で反射されたレーザビームを前記対物レンズを介して分割型光検出器に導く戻り光路とを形成し少なくとも前記往き光路中に前記レーザビームの光軸方向に移動調整可能に配置された光学素子を有した光学系と、前記分割型光検出器の出力からトラッキングエラー信号を演算する手段と、前記光ディスクの前記試し書き領域に記録可能な手段とを有する光ディスク記録再生装置に用いられる光ディスク記録再生方法であって、前記光ディスクの未記録部において、前記光学素子の位置を前記光学系における球面収差を減少させるための駆動手段は、前記分割型光検出器の出力から演算されたトラッキングエラー信号の振幅が最大となるように前記光学素子の位置を移動調整し、前記未記録部において前記光学素子の移動調整後、前記光ディスクの前記試し書き領域に試し書きを行い、前記試し書きによって前記光ディスクの前記試し書き領域内に形成されたマーク及びスペースを再生し、前記分割型光検出器の出力信号の振幅またはレベルが最大となるように前記光学素子を移動調整することよって球面収差を補償して記録型の光ディスクに対して情報の書き込み及び読み取りを行うことができる。
【００２３】
また、本発明の光ディスク記録再生方法は、図５及び図６に示すフローチャートのように、光ディスクのカバー層の厚みムラによる球面収差を補正するための情報を記録可能な第一領域を有する光ディスクに対して、前記カバー層の厚みムラによる球面収差を補正するため光学素子の最適位置情報を光ディスクに記録可能なデータフォーマットに変換し前記第一領域に記録可能な光ディスク装置を用いたにより前記光ディスクに前記光学素子の前記最適位置情報を記録した前記光ディスクを用いた光ディスク記録再生方法であって、
前記光ディスクの前記第一領域に記録された前記最適位置情報を再生し、前記最適位置情報を復号し前記最適位置情報に基づき前記光学素子の位置を移動調整することよって球面収差を補償して記録型の光ディスクにおいて、記録データの有無に関わらず球面収差を補償して光デイスクに対して良好に情報の書き込み及び読み取りを行うことができる。
【図面の簡単な説明】
【００２４】
【図１】記録型の高密度光ディスクの構造図である。
【図２】請求項３〜5に係る本発明の光ディスク装置の一実施例ブロック図である。
【図３】請求項第６，７に係る本発明の光ディスク装置の一実施例ブロック図である。
【図４】請求項8に係る本発明の光ディスク記録再生方法のフローチャートである。
【図５】請求項９に係る本発明の光ディスク記録再生方法のフローチャートである。
【図６】請求項９に係る本発明の光ディスク記録再生方法のフローチャートである。
【符号の説明】
【００２５】
１・・・光ディスク
１０・・・光ピックアップ
１１・・・半導体レーザ
１２・・・コリメートレンズ
１３・・・ビームスプリッタ
１４・・・凹レンズ
１５，１９・・・凸レンズ
１６・・・対物レンズ
１７・・・シリンドリカルレンズ
１８，３０・・・フォトディテクタ
２０・・・光学素子
２１，３１・・・アンプ回路
２２・・・マトリクス回路
２３・・・位相補償回路
２４・・・駆動回路
２５・・・フォーカス用駆動コイル
２６・・・トラッキング用駆動コイル
３２・・・サンプルホールド回路
３３，４１，４３・・・A／D変換回路
３４・・・CPU
３５，４５・・・D／A変換回路
３６・・・レーザ駆動回路
３７・・・テスト信号源
３８・・・マルチパルス発生回路
４０・・・振幅検出回路
４４・・・メモリ
４７・・・モータ
４８・・・エンコード回路
４９・・・２値化回路
５０・・・デコード回路
【図１】
2006260701.tif 000003
【図２】
2006260701.tif 000004
【図３】
2006260701.tif 000005
【図４】
2006260701.tif 000006
【図５】
2006260701.tif 000007
【図６】
2006260701.tif 000008